(57)【要約】  α−イオノン、β−イオノンおよびメチルイオノンからなる群より選択されるイオノンと、他の香料成分とを含有する、たばこ付着臭気改善用の香料組成物。【特許請求の範囲】
【請求項１】
α−イオノン、β−イオノンおよびメチルイオノンからなる群より選択されるイオノンと、他の香料成分とを含有する、たばこ付着臭気改善用の香料組成物。
【請求項２】
前記イオノンの含有率が１０ないし５０重量％である、請求項１に記載の香料組成物。
【請求項３】
前記イオノンの含有率が２０ないし３０重量％である、請求項２に記載の香料組成物。
【請求項４】
前記他の香料成分が、シトロネロール、ゲラニオール、ロジノール、酢酸アニシル、γ−デカラクトン、γ−ノナラクトン、プロペニルグアエトールおよびギ酸アニシルからなる群より選択される１種以上である、請求項１に記載の香料組成物。
【請求項５】
前記他の香料成分がγ−デカラクトンのみからなり、前記γ−デカラクトンの含有率が７０ないし８０重量％であって、前記イオノンの含有率が２０ないし３０重量％である、請求項４に記載の香料組成物。
【請求項６】
請求項１に記載の香料組成物を担持したシガレット。
【請求項７】
たばこ刻みを巻紙で巻いたシガレットであって、前記巻紙は前記香料組成物が包接されたシクロデキストリンが塗工または噴霧されている、請求項６に記載のシガレット。
【請求項８】
シクロデキストリンに包接された前記香料組成物の巻紙への塗工量が１００ｐｐｍ以上２００ｐｐｍ以下である、請求項７に記載のシガレット。
【発明の詳細な説明】
【技術分野】
【０００１】
本発明はたばこ付着臭気改善用の香料組成物およびそれを用いたシガレットに関する。
【背景技術】
【０００２】
近年の悪臭や異臭に対する人々の関心の高まりにより、様々な消臭剤に関する技術が開発されている。衣類、布製品、髪の毛などに吸着して発生する「付着臭気」を消すことを目的とした消臭剤も種々開発されており、それら消臭剤の中には喫煙中の副流煙等により周囲に放出されるたばこ臭気が衣類、布製品、髪の毛などに吸着して発生する「たばこ付着臭気」を対象としたものも存在する（特開２００７−７７５４５号公報、特表平９−５０５５００号公報、および特開２００６−３４０７８５号公報参照）。しかし、これら消臭剤成分はシガレットに添加することを企図しておらず、これら成分をシガレットにそのまま添加して使用しようとすると、シガレットの燃焼の過程により成分が変質してしまうという問題が生ずる。また、これら成分をシガレットにそのまま添加して使用しようとすると、多量に添加することが必要となり、たばこ本来の香喫味を著しく損なうことになる。つまり、シガレットに添加して使用するたばこ付着臭気改善香料にあっては、ごく少量でたばこ付着臭気を改善する効果を示すことが求められる。【０００３】
一方、従来から、たばこ副流煙臭気を低減する消臭剤が開発されている（特開２００２−１４３２８５号公報、特開２００２−１４３２８４号公報、特開２００２−１４６３８６号公報、および特開２００９−１７９７１１号公報参照）。さらには、たばこ副流煙臭気消臭用香料組成物であって、シガレットに添加して用いられるものも開発されている（特開２００９−１７９７０８号公報および特開平１１−１２４８００号公報参照）。これら香料組成物は、たばこ臭気と混合しても、全体の臭いの強さを有意に増加させることなく（すなわち、たばこ本来の香喫味を損なうことなく）、たばこ副流煙臭気を効果的に消臭するものである。しかし、これら組成物はいずれもたばこ副流煙臭気を低減するための消臭剤であり、本発明のようなたばこ付着臭気の低減を想定したものではない。たばこ付着臭気は、上述のとおり衣類、布製品、髪の毛などに吸着した後に発生する臭気であるから、たばこ付着臭気改善香料にあっては、それらが衣類や髪の毛に吸着した後、脱着して発現する過程を考慮する必要があり、たばこ副流煙臭気を低減する香料組成物がたばこ付着臭気を低減する効果も同等に発揮するとは極めて考え難い。また、たばこ付着臭気に対して十分な改善効果を得るためには、衣類や髪の毛の単位面積当たりの消臭剤量を増やす必要がある。つまり、衣類や髪の毛に付着したたばこ臭気に対する隠蔽効果を得るためには、たばこ副流煙臭気を消臭するより遥かに大量の添加が必要となる。一方で、大量の香料の添加は上述したように、たばこ香喫味の阻害が懸念されるので、やはり、たばこ付着臭気改善香料にあっては、ごく少量で強いたばこ付着臭気改善効果を示すことが求められる。【０００４】
ところで、香料組成物をシガレットに添加する場合にあっては、その添加方法も検討する必要がある。１つの代表的な方法として、シガレット巻紙に塗布することが提案される。巻紙に塗布することにより、香料組成物が副流煙を介して衣類や髪の毛に付着し、さらにその後脱着して機能を発現させることができる。しかし、臭気改善効果を示す香料組成物は、そのほとんどが常温で揮発性が高く、長期間にわたり十分な量の香料を巻紙上に保持しておくことが難しい。さらに、巻紙に添加された香料は、経時的にたばこ刻みや製品包装材料へ移行することが知られており、このことはたばこ香喫味に影響を与え得る。【０００５】
こうした問題を解決するために、たばこ製品の製造および貯蔵条件下では安定で不揮発性であり、喫煙条件下では熱分解または脱着により芳香剤を放散するように修飾された香料が提案されている。例えば、特表平２−５０１０７５号公報または米国特許第４，８０４，００２号明細書は、糖と芳香剤のアセタールとを含むグリコシドからなる香料を開示している。しかし、この技術では、喫煙時にグリコシドの熱分解生成物が煙中に混入し、たばこ香喫味を阻害するという問題点がある。また、この技術はグリコシドを調製することができない芳香剤には適用できないため、適用可能な芳香剤が限定される。また、特開平５−１４６２８５号公報または米国特許第５，１４４，９６４号明細書および特表平７−５０４０８０号公報または米国特許第５，４７９，９４９号明細書は、シクロデキストリンで香料を包接する技術を開示している。しかし、この技術においても、喫煙時にシクロデキストリンの熱分解生成物が煙中に混入し、たばこ香喫味を阻害するという問題点がある。また、シクロデキストリンによって包接可能な香料の量に限界があり、シクロデキストリンを巻紙に塗工できる量にもシガレット巻上時の機械適性という観点から限界があるので、結局、巻紙に香料を直接塗工する場合と比較して、少量の香料しか使用できないという問題点もある。従って、この技術を適用できる香料は、少量で十分なたばこ付着臭気低減効果を有するものに限られ、香料の種類が制限される。
【発明の開示】
【０００６】
以上述べたとおり、これまで、シガレットに添加された消臭剤により、衣類や髪の毛に付着したたばこ臭気を改善する方法や、課題そのものに触れた例もほとんど知られておらず、たばこ本来の香喫味を担保しながら、たばこ付着臭気に効果を持つ消臭剤は存在しなかった。
【０００７】
従って本発明の目的は、比較的少量の使用でたばこ付着臭気を改善することができ、たばこ本来の香喫味を損なわない香料組成物、およびそれを用いたシガレットを提供することにある。
【０００８】
本発明者らは、α−イオノン、β−イオノンおよびメチルイオノンからなる群より選択されるイオノンと、他の香料成分を混合すると、イオノンが他の香料成分の香気強度をエンハンスすることを見出した。また、これら香料組成物は、たばこ本来の香喫味を損なわず、シガレット巻上時の機械適性を下げない添加量で衣類や髪の毛に付着したたばこ付着臭気を十分に改善できることを見出した。さらに、他の香料成分としてγ−デカラクトンを用いると、特にエンハンス効果が大きくなることも見出した。
【０００９】
本発明の一態様によれば、α−イオノン、β−イオノンおよびメチルイオノンからなる群より選択されるイオノンと、他の香料成分とを含有する、たばこ付着臭気改善用の香料組成物が提供される。
【００１０】
本発明の香料組成物において、前記イオノンの含有率は１０ないし５０重量％であることが好ましく、２０ないし３０重量％であることがより好ましい。
【００１１】
本発明の香料組成物において、前記他の香料成分は、特に制限はなく、例えば、テルペン系アルデヒド類としてヒドロキシシトロネラール、テルペン系ケトン類としてピペリトン、テルペン系アルコール類としてシトロネロール、ゲラニオール、リナロール、ロジノール、α−テルピネオール、テルペン系エステル類として酢酸タービニル、脂肪族鎖状アルコール類としてジヒドロミルセノール、脂肪族鎖上アルデヒド類としてトランス−２−デセナール、脂肪族環状ケトン類としてジヒドロジャスモン酸メチル、エチマルトール、シス−ジャスモン、脂肪族エステル類として酢酸アニシル、酪酸ベンジル、ラウリン酸エチル、シクロヒキサンプロピオン酸アリル、脂肪族ラクトン類としてγ−ウンデカラクトン、γ−デカラクトン、γ−ノナラクトン、γ−オクタラクトン、スクラレオリド、ω−ペンタデカラクトン（１５−ペンタデカノリド）、δ−ドデカラクトン、γ−ヘプタラクトン、脂肪族カルボン酸類としてミリスチン酸、芳香族アルデヒド類としてアニスアルデヒド、エチルバニリン、４−イソプロピルベンズアルデヒド、４−エチルベンズアルデヒド、シンナミックアルデヒド、４−エトキシベンズアルデヒド、リリーアルデヒド、芳香族ケトン類としてメチルアニサルアセトン、ラズベリーケトン、メチルβ−ナフチルケトン、芳香族アルコール類としてプロペニルグアエトール、芳香族エステル類としてギ酸アニシル、酪酸フェニルエチル、酢酸シンナミル、プロピオン酸ベンジル、フェニル酢酸４−メトキシベンジル、プロピオン酸シンナミル、アントラニル酸メチル、イソ酪酸フェニルエチル、サリチル酸メチル、桂皮酸メチル、桂皮酸エチル、芳香族エーテル類として４−プロピルアニソール、アネトール、芳香族ラクトン類として３−プロピリデンフタリド、芳香族カルボン酸類として３−フェニルプロピオン酸等が挙げられる。これら成分は、単独で使用することもできるし、所望により混合物の形態（調合香料）で使用することもできる。これら成分の中でも、ヒドロキシシトロネラール、シトロネロール、ゲラニオール、リナロール、ロジノール、ジヒドロミルセノール、トランス−２−デセナール、ジヒドロジャスモン酸メチル、酢酸アニシル、酪酸ベンジル、シクロヘキサンプロピオン酸アリル、γ−デカラクトン、γ−ノナラクトン、γ−オクタラクトン、ω−ペンタデカラクトン（１５−ペンタデカノリド）、アニスアルデヒド、エチルバニリン、リリーアルデヒド、ラズベリーケトン、プロペニルグアエトール、ギ酸アニシル、酪酸フェニルエチル、酢酸シンナミル、プロピオン酸シンナミル、桂皮酸メチルおよび桂皮酸エチルからなる群より選択される１種以上であることが好ましい。特に、シトロネロール、ゲラニオール、ロジノール、酢酸アニシル、γ−デカラクトンおよびγ−ノナラクトン、プロペニルグアエトールおよびギ酸アニシルからなる群より選択される１種以上であることがより好ましい。
【００１２】
上記香料成分に代えて、あるいは上記香料成分と共に、これら成分を含有する天然香料を使用することもできる。このような天然香料としては例えば、シトロネラ油、ローズ油、ゼラニウム油、ローズゼラニウム油、ユーカリ油、ゼラニウムリーフ油、カシー油、パルマローザ油、レモングラス油、タイム油、キンモクセイ油、バジル油、ベルガモット油、ベルガモットローズ油、ボアドローズ油、カナンガ油、キャロットウィード油、チャンパカ油、クラリー・セージ油、コリアンダーシード油、芳油、ホウショウ、ジャスミン油、ラパンジン油、ラベンダー油、ラベンダーステム油、スパイクラベンダー油、マージョラム油、ナルシサス・アブソリュート、ネロリ油、オレンジ油、オレンジフラワー、ペチグレン油、スネークルート油、イラン・イラン油、カナンガ油、アルテミジア油、コリアンダー、コリアンダーシード、ダヴァナ、キャロットリーフ油、チャンパカ油、シスタス油、アセロラ油、スターフルーツ油、アニス油、フェンネル油、タジェット油、コリアンダー、ホウショウ、ナルシサス油等が挙げられる。
【００１３】
本発明の香料組成物において、前記他の香料成分がγ−デカラクトンのみから構成されるとき、前記γ−デカラクトンの含有率は７０ないし８０重量％であって、前記イオノンの含有率は２０ないし３０重量％であることが好ましい。
【００１４】
本発明の他の態様によれば、上記のたばこ付着臭気改善香料組成物を担持したシガレットが提供される。本発明のたばこ付着臭気改善香料組成物は、通常シガレットに香料を添加するいずれの工程においても添加することができる。たばこ材としては、葉たばこ（黄色種、バーレー種、オリエント種等）、シートたばこ等いずれのたばこ材も用いることができ、通常、これらたばこ材は、刻みの形態でシガレットに使用される。刻みは、膨化された形態にあってもよい。また、本発明のたばこ付着臭気改善香料組成物は、たばこ材、材料品（たばこフィルター等）のいずれの位置に添加されていてもよい。
【００１５】
本発明者らはさらに、イオノンを含む香料組成物をシクロデキストリンで包接すれば、シクロデキストリンの熱分解生成物による好ましくない香喫味を改善できることを見出した。したがって、本発明のシガレットは、たばこ刻みを巻紙で巻いたシガレットであって、前記巻紙は前記香料組成物が包接されたシクロデキストリンが塗工または噴霧されていることが好ましい。
【００１６】
本発明のシガレットにおいて、シクロデキストリンに包接された前記香料組成物の巻紙への塗工量は１００ｐｐｍ以上２００ｐｐｍ以下であることが好ましい。
【００１７】
前述したようにイオノンを含む香料組成物では、他の香料成分の香気をエンハンスする効果が得られる。したがって、シクロデキストリンに包接できる量では十分なマスキング効果を有さない香料組成物であっても、イオノンと併用することによって十分なマスキング効果を示すまでに香気がエンハンスされる。その結果、従来よりも使用できる香料の種類が増え、香質のバリエーションを増やすことが可能となる。
【発明を実施するための最良の形態】
【００１８】
以下、本発明の実施形態を説明する。【００１９】
試験１
イオノンによるシクロデキストリンの熱分解生成物の好ましくない香喫味の改善効果を検証した。【００２０】
［シガレットの用意］
実施例１Ａ：シクロデキストリン（ＣＤ）７５重量部とβ−イオノン包接シクロデキストリン（ＢＩ包接ＣＤ）２５重量部とを粉体で混合した。この混合粉体を、カルボキシメチルセルロースの６．０ｗｔ％水溶液に対して１６ｗｔ％になるように分散させ、分散液を調製した。廉井精機株式会社製のグラビアコーターを用いて、２７ｍｍ幅の巻紙（Ｐ３５）の中心部に７ｍｍ幅で分散液をグラビア塗工した。β−イオノンのシクロデキストリン包接率はＧＣ−ＭＳＤにて分析した結果９．２％であり、巻紙へのβ−イオノンの塗工量は２３．２ｐｐｍ／本であった。調製した巻紙を用いて、実施例１Ａのシガレット試料を作製した。シガレットには通常の市販シガレットを用いた。【００２１】
実施例１Ａのシガレット試料に対する対照として、比較例１Ａ、１Ｂおよび１Ｃのシガレット試料を用意した。比較例１Ａ、１Ｂおよび１Ｃのシガレット試料には、それぞれ、下記の巻紙を用いた。比較例１Ｂおよび１Ｃのシガレット試料に用いた巻紙は、上記と同様の方法で所定の分散液をグラビア塗工することによって調製した。調製した各々の巻紙を用いて、比較例１Ａ、１Ｂおよび１Ｃのシガレット試料を作製した。シガレットには、実施例１Ａと同一の市販シガレットを用いた。【００２２】
比較例１Ａ：無塗工
比較例１Ｂ：シクロデキストリン（ＣＤ）塗工
比較例１Ｃ：シクロデキストリン（ＣＤ）＋γ−デカラクトン包接シクロデキストリン（ＤＬ包接ＣＤ）塗工
［香喫味評価］
作製したシガレット試料について社内の専門評価者３名による評点法で香喫味を評価した。評点は以下のとおりである。【００２３】
１点＝香喫味が非常に悪い、２点＝香喫味が悪い、３点＝香喫味がやや悪い、４点＝香喫味がやや良い、５点＝香喫味が良い、６点＝香喫味が非常に良い。【００２４】
各試料の評点は、３名の専門評価者の評点の算術平均値とした。評点は小数点一位まで算出した。表１に結果を示す。
【表１】
2013132618.tif 000002
【００２５】
表１から以下のことがわかる。無塗工の巻紙を用いた比較例１Ａのシガレットと比較して、ＣＤのみを塗工した巻紙を用いた比較例１Ｂのシガレットは、香喫味が阻害されている。ＣＤおよびＢＩ包接ＣＤを塗工した巻紙を用いた実施例１Ａのシガレットは、比較例１Ｂのシガレットに対して香喫味の改善効果があり、評点は比較例１Ａのシガレットに近づいている。ＣＤおよびＤＬ包接ＣＤを塗工した巻紙を用いた比較例１Ｃのシガレットは、比較例１Ｂのシガレットと比較して香喫味の改善効果を示さない。【００２６】
β−イオノンの代わりに、α−イオノンまたはメチルイオノンを用いた場合にも、実施例１Ａのシガレットと同様に、香喫味改善効果が認められた。【００２７】
試験２
イオノンによる他の香料成分のエンハンス効果を検証した。この試験で用いた他の香料成分はγ−デカラクトンである。【００２８】
［香料溶液の用意］
香料溶液として、γ−デカラクトン単独（ＤＬのみ）、γ−デカラクトンおよびイオノンの混合組成物（Ｉ＋ＤＬ）、またはイオノン単独（Ｉのみ）溶液を用意した。イオノンとして、α−イオノン、β−イオノン、またはメチルイオノンを用意した。各溶液におけるγ−デカラクトンおよびイオノンの配合割合は表２に示すとおりである。溶媒としてプロピレングリコール（ＰＧ）を用意した。γ−デカラクトン単独と、γ−デカラクトンおよびイオノンの混合組成物溶液については、スクリュー瓶に香料２０μＬとＰＧ１０００μＬとを入れて香料のＰＧ溶液を調製した。イオノン単独溶液の香料含有量は、γ−デカラクトンおよびイオノンの混合組成物のＰＧ溶液における、イオノンの含有量に合わせた。【００２９】
［官能評価］
社内の専門評価者３名が、調製した各香料溶液をにおい紙の先端につけて、香気強度を６段階評点法により評価した。γ−デカラクトン単独溶液と、γ−デカラクトンおよびイオノンの混合組成物溶液については、溶液中のγ−デカラクトンの香気強度を評価した。イオノン単独溶液については、イオノンの香気強度を評価した。評点は以下のとおりである。【００３０】
１点＝香気強度が非常に弱い、２点＝香気強度が弱い、３点＝香気強度がやや弱い、４点＝香気強度がやや強い、５点＝香気強度が強い、６点＝香気強度が非常に強い。【００３１】
各試料の評点は、３名の専門評価者の評点の算術平均値とした。評点は小数点一位まで算出した。表２に結果を示す。
【表２】
2013132618.tif 000003
【００３２】
表２から以下のことがわかる。γ−デカラクトン単独溶液の香気強度（３．２）と比較して、γ−デカラクトンおよびイオノンの混合組成物溶液ではいずれもγ−デカラクトンの香気強度がエンハンスされている。イオノンの配合量を増加させることによってγ−デカラクトンの配合量を減少させているにもかかわらず、感覚的にはγ−デカラクトンの香気強度が増加していることがわかる。γ−デカラクトン単独溶液（イオノン無添加）のγ−デカラクトンの香気強度に対して、評点差が大きいほどエンハンス効果が大きいと評価すると、γ−デカラクトンおよびイオノンの混合組成物溶液中のイオノンの含有率は１０〜５０ｗｔ％が好ましく、２０〜３０ｗｔ％がより好ましい。このような傾向は、α−イオノン、β−イオノンおよびメチルイオノンのいずれのイオノンを用いた場合についてもいえる。【００３３】
一方、イオノン単独溶液の香気強度はいずれも評点で２．４以下であり、かなり弱かった。このことは、全体の香質を変化させることなく、すなわちγ−デカラクトンの香質を保ったまま、全体の香気強度を増加できることを示している。【００３４】
試験３
たばこ付着臭気の改善効果を検証した。【００３５】
［シガレットの用意］
表３および表４に示した配合割合の香料組成物（合計で１００ｗｔ％）を用意した。シガレットは全て、実施例１Ａと同一のものを用いた。【００３６】
１．実施例３Ａ−３Ｈおよび比較例３Ａ−３Ｄ
各香料組成物をエタノールに溶解させた後、シリンジを用いてシガレットの巻紙の全面に塗工した。各香料組成物のエタノール溶液の塗工量は１０μＬ／本とした。表３中の添加量（ｐｐｍ）は、シガレット１本当り（たばこ刻み重量６５０ｍｇ）に対する香料の添加量を示している。例えば、添加量が１５０ｐｐｍである場合、香料組成物のエタノール溶液１０μＬ中に、６５０ｍｇ×１５０ｐｐｍ＝９７．５μｇの香料組成物が溶解している。調製した巻紙を用いてシガレットを作製し、官能評価を行った。【００３７】
２．実施例３Ｉ−３Ｍ
各香料組成物をシクロデキストリンに包接させた。試験１と同様に、香料包接シクロデキストリンを、カルボキシメチルセルロースの６．０ｗｔ％水溶液に分散させ、分散液を調製した。グラビアコーターを用いて、２７ｍｍ幅のシガレット巻紙の中心部に７ｍｍ幅で分散液をグラビア塗工した。表２中の添加量（ｐｐｍ）は香料組成物の添加量を表し、香料包接シクロデキストリンの添加量および各香料組成物の包接率から決定した。調製した巻紙を用いてシガレットを作製し、官能評価を行った。【００３８】
［官能評価］
１）たばこ付着臭気の評価
シガレットを燃やしたときの煙を、ポリエステル、綿および髪の毛の各素材にそれぞれ付着させ、社内の専門評価者４８名による一対比較法（ブラインド評価）により、たばこ付着臭気の評価を行った。詳細は以下のとおりである。【００３９】
同じ容積を持つ一対の容器内にそれぞれ、ポリエステル（ＪＩＳ規格のポリエステル、５×５ｃｍ片）、綿（ＪＩＳ規格の綿かなきん３号、５×５ｃｍ片）、髪の毛（大阪ブラシ株式会社製、人毛黒毛１００％）を吊るした。香料無塗工品と香料塗工品のシガレットをそれぞれの容器内で同体積燃焼したときの副流煙を、同容器内の素材にそれぞれ付着させた。シガレットを消火した後、香料無塗工品と香料塗工品を燃焼した各容器から素材を取り出し、それぞれの素材を３桁の数字を付したスクリュー瓶に入れた。専門評価者は、香料無塗工品／香料塗工品の一対の素材についてたばこ付着臭気を嗅ぎ比べ、たばこ付着臭気強度が弱い方を選択した。【００４０】
試験した香料組成物がたばこ付着臭気を改善する機能性を有するか否かについて、香料無塗工品との間で２項検定（両側検定）を実施し、以下の基準で評価した。【００４１】
良＝信頼度９５％以上の水準で有意差あり、可＝信頼度９０％以上の水準で有意差あり、不可＝有意差なし。【００４２】
２）全体の香気強度評価
社内の専門評価者３名による評点法で、たばこの煙が付着した各素材についてそれぞれ全体の香気強度の評価を行った。評点は以下のとおりである。【００４３】
０点＝香りがない、１点＝香気強度が非常に弱い、２点＝香気強度が弱い、３点＝香気強度がやや弱い、４点＝香気強度がやや強い、５点＝香気強度が強い、６点＝香気強度が非常に強い。【００４４】
各素材の評点は３名の専門評価者の評点の算術平均値とした。評点は小数点一位まで算出した。【００４５】
３）香喫味評価
作製したシガレット試料について社内の専門評価者３名による評点法で香喫味を評価した。評点は以下のとおりである。【００４６】
１点＝香喫味が非常に悪い、２点＝香喫味が悪い、３点＝香喫味がやや悪い、４点＝香喫味がやや良い、５点＝香喫味が良い、６点＝香喫味が非常に良い。【００４７】
各試料の評点は、３名の専門評価者の評点の算術平均値とした。評点は小数点一位まで算出した。【００４８】
表３および表４に試験結果を示す。
【表３】
2013132618.tif 000004
【表４】
2013132618.tif 000005
【００４９】
表３に示した結果から以下のことがわかる。【００５０】
実施例３Ａと比較例３Ａとの対比、実施例３Ｃと比較例３Ｂとの対比、実施例３Ｇと比較例３Ｃとの対比および実施例３Ｈと比較例３Ｄとの対比から、α−イオノン、β−イオノンおよびメチルイオノンのいずれかのイオノンを含む香料組成物はイオノンを含まない香料組成物と比較して、各素材におけるたばこ付着臭気を低減させる機能が著しく向上するとともに、全体の香気強度および香喫味の点でも良好であることがわかる。【００５１】
さらに、イオノンと他の香料成分としてγ−デカラクトンとを含む香料組成物は、イオノンと他の香料成分としてγ−デカラクトン以外の香料成分とを含む香料組成物と比較して、各素材におけるたばこ付着臭気を低減させる機能が向上し、香気増強効果が大きくなることもわかる。たとえば、γ−デカラクトンを含まない実施例３Ａの香料組成物は、ポリエステルへのたばこ付着臭気を低減させる機能は良好であるが、綿および髪の毛へのたばこ付着臭気を低減させる機能はやや低い。これに対して、γ−デカラクトンを含む実施例３Ｂ−３Ｇの香料組成物は、ポリエステル、綿および髪の毛のいずれの素材へのたばこ付着臭気も良好に低減させる。【００５２】
また、γ−デカラクトンをいずれも含まない実施例３Ａと比較例３Ａとを対比すると、香気強度の増強割合は３．７÷２．４≒１．５倍である。これに対して、γ−デカラクトンをいずれも含む実施例３Ｅと比較例３Ｃとを対比すると、香気強度の増強割合は５．３÷２．７≒２．０倍である。このように、イオノンと他の香料成分としてγ−デカラクトンとを含む香料組成物は、イオノンと他の香料成分としてγ−デカラクトン以外の香料成分とを含む香料組成物と比較して香気増強効果が大きい。【００５３】
また、香料組成物がイオノンとγ−デカラクトンのみから構成されるとき、γ−デカラクトンの含有率が７０ないし８０重量％であって、イオノンの含有率が２０ないし３０重量％であるとき、特に良好なたばこ付着臭気低減機能性、全体香気強度および香喫味を示す（実施例３Ｅ、実施例３Ｇ）。【００５４】
なお、比較例３Ｃからわかるように、γ−デカラクトン単独ではたばこ付着臭気を低減する機能性は添加量が１５０ｐｐｍにおいては発現しない。【００５５】
表４に示した結果から以下のことがわかる。【００５６】
実施例３Ｉ−３Ｍのように、香料組成物をシクロデキストリンに包接して巻紙に塗工してシガレットを作製した場合にも、イオノンによる他の香料成分のエンハンス効果が得られるうえに、良好なたばこ付着臭気の低減機能、香喫味も得られる。【００５７】
試験４
イオノンを含む香料組成物の好ましいシガレットへの塗工量について検証した。【００５８】
［シガレットの用意］
γ−デカラクトンとβ−イオノンをそれぞれシクロデキストリンに包接して巻紙に塗工したシガレット（ＤＬ−ＣＤ＋ＢＩ−ＣＤ＝７５ｗｔ％＋２５ｗｔ％）を作製した。シガレットは全て、実施例１Ａと同一のものを用いた。【００５９】
γ−デカラクトン包接シクロデキストリン７５重量部とβ−イオノン包接シクロデキストリン２５重量部とを粉体で混合した。この混合粉体を、カルボキシメチルセルロースの６．０ｗｔ％水溶液に分散させた後、グラビアコーターを用いて２７ｍｍ幅のシガレット巻紙の中心部に７ｍｍ幅でグラビア塗工した。塗工量の水準は表５に示したとおりである。目標とする塗工量になるように香料包接シクロデキストリンの濃度を調製した。調製した巻紙を用いてシガレットを作製し、シガレットへの巻上適性、たばこ付着臭気、および香喫味を評価した。【００６０】
対照として、γ−デカラクトン包接シクロデキストリンのみを用いた以外は上記と同様にして、巻紙を調製し、調製した巻紙を用いてシガレット（ＤＬ−ＣＤのみ）を作製し、シガレットへの巻上適性、たばこ付着臭気、および香喫味を評価した。【００６１】
［シガレットへの巻上適性］
シガレット製造担当者による評価を行った。調製した巻紙を使用して巻上機によりシガレットを作製した。シガレット４００００本を連続的に作製した際の不良巻の発生頻度、巻上時のシクロデキストリンの飛散状況、巻紙通紙ローラーおよび巻紙接触部分へのシクロデキストリンの付着状況を観察し、総合的に適性を以下のように評価した。【００６２】
良好：巻上良好、可：巻上可能、不可：巻上不可。【００６３】
［官能評価］
１）たばこ付着臭気の評価
シガレットを燃やしたときの煙を、所定の素材にそれぞれ付着させ、社内の専門評価者１２名による評点法により、たばこ付着臭気の評価を行った。評価する試料の作製法は上記試験３に同じとした。素材として、ポリエステル、綿、および髪の毛に加えて、ウール（ＪＩＳ規格  ウール、５×５ｃｍ片）を用いた。専門評価者が各素材のたばこ付着臭気を嗅ぎ、どの程度のたばこ付着臭気の低減機能を示すかを評価した。専門評価者は、各素材についてそれぞれ評価を行った。評点は以下のとおりである。【００６４】
１点＝（たばこ付着臭気低減の）機能性を示さない、２点＝やや機能性を示す、３点＝機能性を示す、４点＝強い機能性を示す。【００６５】
各素材の評点は１２名の専門評価者の評点の算術平均値とした。評点は小数点一位まで算出した。【００６６】
２）香喫味評価
作製したシガレット試料について社内の専門評価者４名による評点法で香喫味を評価した。評点は以下のとおりである。【００６７】
１点＝（香喫味が）悪い、２点＝受容できる、３点＝やや良い、４点＝良い。【００６８】
各試料の評点は、３名の専門評価者の評点の算術平均値とした。評点は小数点一位まで算出した。【００６９】
表５に試験結果を示す。
【表５】
2013132618.tif 000006
【００７０】
表５から、シガレットへの巻上適性、たばこ付着臭気低減機能性、および香喫味を満足する香料組成物の好ましい塗工量は１００ｐｐｍ以上２００ｐｐｍ以下であることがわかる。
【手続補正書】
【提出日】平成26年7月25日(2014.7.25)
【手続補正１】
【補正対象書類名】特許請求の範囲
【補正対象項目名】全文
【補正方法】変更
【補正の内容】
【特許請求の範囲】
【請求項１】
α−イオノン、β−イオノンおよびメチルイオノンからなる群より選択されるイオノンと、
他の香料成分と
を含有する、たばこ付着臭気改善用の香料組成物であって、
前記他の香料成分がγ−デカラクトンのみからなり、前記γ−デカラクトンの含有率が７０ないし８０重量％であり、前記イオノンの含有率が２０ないし３０重量％である、香料組成物。
【請求項２】
請求項１に記載の香料組成物を担持したシガレット。
【請求項３】
たばこ刻みを巻紙で巻いたシガレットであって、前記巻紙は前記香料組成物が包接されたシクロデキストリンが塗工または噴霧されている、請求項２に記載のシガレット。
【請求項４】
シクロデキストリンに包接された前記香料組成物の巻紙への塗工量が１００ｐｐｍ以上２００ｐｐｍ以下である、請求項３に記載のシガレット。
【国際調査報告】
2013132618.tif 000007
2013132618.tif 000008
2013132618.tif 000009
2013132618.tif 000010